(57)【要約】【課題】記録媒体にアクセスせずに記録媒体の誤マウントを防止すること。【解決手段】タブレット端末２００が、Ａ社サーバ１００から当日作業データ取得２２１により交換作業対象の装置情報と記録媒体情報と該記録媒体毎の記録媒体の世代情報とを含む交換作業情報を取得し、対象機器・ライブラリ判定２２３により記録媒体を交換するバックアップ記憶装置を判定し、交換対象媒体状況判定２２４により交換対象の記録媒体を判定し、マウント状況判定２２７により記憶媒体の交換を行った後の記憶媒体装填状況を判定し、エビデンス登録２２８により媒体マウント状況をエビデンスとして登録する誤マウント防止システム。【選択図】図２
2015215932.tif 000002
【特許請求の範囲】
【請求項１】
バックアップ記憶装置の装置種を示す装置情報と該バックアップ記憶装置に装填する記録媒体を一意に表す記録媒体情報と該記録媒体毎の記録媒体の世代情報とを格納し、バックアップ記憶装置毎の記録媒体毎の交換作業情報を作成するサーバに接続され、記録媒体の誤マウントを防止するタブレット端末を含む誤マウント防止システムであって、
該タブレット端末が、
前記サーバから交換作業対象の装置情報と記録媒体情報と該記録媒体毎の記録媒体の世代情報とを含む交換作業情報を取得する当日作業データ取得部と、
記録媒体を一意に判定する媒体判定部と、
前記バックアップ記憶装置の装置種を判定する装置識別機能判定部と、
前記バックアップ記憶装置に装填されている状態を判定する媒体マウント状況判定部と、
該媒体マウント状況判定部により判定した媒体マウント状況をエビデンスとして登録するエビデンス登録部とを備え、
前記当日作業データ取得部を用いてサーバから交換作業対象の装置情報と記録媒体情報と該記録媒体毎の記録媒体の世代情報とを含む交換作業情報を取得する当日作業データ取得機能と、
前記装置識別機能判定部を用いて記録媒体を交換するバックアップ記憶装置を判定する対象機器・ライブラリ判定機能と、
前記媒体判定部を用いて交換対象の記録媒体を判定させる交換対象媒体状況判定機能と、
作業者が前記取得した交換作業情報により指定されたバックアップ記憶装置の記憶媒体の交換を行った後の記憶媒体装填状況を判定するマウント状況判定機能と、
該マウント状況判定機能により判定した記憶媒体装填状況をエビデンスとして登録するエビデンス登録機能を実行することを特徴とする誤マウント防止システム。
【請求項２】
前記サーバが、バックアップ記憶装置に記録媒体を装填した状態のイメージ写真を登録する機能であるライブラリイメージ登録部を備え、前記媒体マウント状況判定部が、ライブラリイメージ登録機能とタブレット端末により撮影した作業者による記録媒体の交換を行った後のイメージ写真とを比較することによって、バックアップ記憶装置に装填されている状態を判定することを特徴とする請求項１に記載の誤マウント防止システム。
【請求項３】
前記バックアップ記憶装置及び記憶媒体を一意に識別するマトリックス型二次元コードがバックアップ記憶装置及び記憶媒体に付与され、前記媒体判定部が、記録媒体に付与されているマトリックス型二次元コードを読み取った媒体情報に基づいて記録媒体種を判定し、装置識別機能判定部が、バックアップ記憶装置に付与されているマトリックス型二次元コードを読み取った装置情報に基づいて装置種を判定することを特徴とする請求項１又は２記載の誤マウント防止システム。
【請求項４】
バックアップ記憶装置の装置種を示す装置情報と該バックアップ記憶装置に装填する記録媒体を一意に表す記録媒体情報と該記録媒体毎の記録媒体の世代情報とを格納し、バックアップ記憶装置毎の記録媒体毎の交換作業情報を作成するサーバに接続され、記録媒体の誤マウントを防止するタブレット端末を含むコンピュータシステムの誤マウント防止方法であって、
該タブレット端末に、
前記サーバから交換作業対象の装置情報と記録媒体情報と該記録媒体毎の記録媒体の世代情報とを含む交換作業情報を取得する当日作業データ取得部と、
記録媒体を一意に判定する媒体判定部と、
前記バックアップ記憶装置の装置種を判定する装置識別機能判定部と、
前記バックアップ記憶装置に装填されている状態を判定する媒体マウント状況判定部と、
該媒体マウント状況判定部により判定した媒体マウント状況をエビデンスとして登録するエビデンス登録部とを設け、
前記当日作業データ取得部を用いてサーバから交換作業対象の装置情報と記録媒体情報と該記録媒体毎の記録媒体の世代情報とを含む交換作業情報を取得する当日作業データ取得工程と、
前記装置識別機能判定部を用いて記録媒体を交換するバックアップ記憶装置を判定する対象機器・ライブラリ判定工程と、
前記媒体判定部を用いて交換対象の記録媒体を判定させる交換対象媒体状況判定工程と、
作業者が前記取得した交換作業情報により指定されたバックアップ記憶装置の記憶媒体の交換を行った後の記憶媒体装填状況を判定するマウント状況判定工程と、
該マウント状況判定工程により判定した記憶媒体装填状況をエビデンスとして登録するエビデンス登録工程を実行することを特徴とする誤マウント防止方法。
【請求項５】
前記サーバに、バックアップ記憶装置に記録媒体を装填した状態のイメージ写真を登録する機能であるライブラリイメージ登録部を設け、前記媒体マウント状況判定部が、ライブラリイメージ登録機能とタブレット端末により撮影した作業者による記録媒体の交換を行った後のイメージ写真とを比較することによって、バックアップ記憶装置に装填されている状態を判定することを特徴とする請求項４に記載の誤マウント防止方法。
【請求項６】
前記バックアップ記憶装置及び記憶媒体を一意に識別するマトリックス型二次元コードがバックアップ記憶装置及び記憶媒体に付与され、前記媒体判定部に、記録媒体に付与されているマトリックス型二次元コードを読み取った媒体情報に基づいて記録媒体種を判定させ、装置識別機能判定部に、バックアップ記憶装置に付与されているマトリックス型二次元コードを読み取った装置情報に基づいて装置種を判定させることを特徴とする請求項４又は５記載の誤マウント防止方法。
【発明の詳細な説明】
【技術分野】
【０００１】
本発明は、複数種類の記録媒体を収納するライブラリ装置への記録媒体の誤マウントを防止することができる誤マウント防止システム及び誤マウント防止方法に関する。
【背景技術】
【０００２】
近年のコンピュータシステムにおいては大容量のバックアップ記録媒体として磁気テープを磁気媒体とした規格であるＬＴＯ（Ｌｉｎｅａｒ  Ｔａｐｅ−Ｏｐｅｎ）やＤＡＴ（Ｄｉｇｉｔａｌ  Ａｕｄｉｏ  Ｔａｐｅ）が定められ、このＬＴＯ規格の磁気テープ（以下、ＬＴＯと呼ぶ）を使用するバックアップ記憶装置はＬＴＯ装置、ＤＡＴ規格の磁気テープ（以下、ＤＡＴと呼ぶ）を使用するバックアップ記憶装置はＤＡＴ装置と呼ばれる。
【０００３】
一般にデータセンタ等のコンピュータシステムにおいては、ホストコンピュータに前記ＬＴＯ装置やＤＡＴ装置を接続し、該ホストコンピュータからの管理によってＬＴＯやＤＡＴにバックアップデータを多世代にわたって記録するバックアップシステムを構成しており、多世代にわたるバックアップやデータリカバリ等の必要に応じて任意のＬＴＯやＤＡＴをＬＴＯ装置やＤＡＴ装置の所定位置にマウントする作業が必要とされている。
【０００４】
このＬＴＯやＤＡＴが正しくバックアップ記憶装置にマウントされているか否かを確認する従来の方法は、作業者がチェックリストに記載された項目とバックアップ記憶装置とのマウント状態とを目視にて確認する方法と、当該システムを起動して記録媒体にアクセスし、マウント状況を確認する方法が挙げられる。
【０００５】
尚、従来技術による記録媒体の誤マウント防止に関する技術が記載された文献としては、下記の特許文献が挙げられ、この特許文献には、記録方式の異なるテープカートリッジが収納されたテープカートリッジ移送マガジンと、フレームに固定された誤装着防止部材と、テープカートリッジ移送マガジンの端部に取り付けられた蓋部材とから成り、テープカートリッジの種別に応じて誤装着防止部材及び蓋部材の向きを変更するように構成され、テープカートリッジ移送マガジンが誤装着防止部材及び蓋部材をテープカートリッジの種別に応じて取り付け方向を変更することにより、異なる形式のテープカートリッジの誤マウントを防止することが記載されている。
【先行技術文献】
【特許文献】
【０００６】
【特許文献１】特開２００７−８０３９１号公報
【発明の概要】
【発明が解決しようとする課題】
【０００７】
前述の特許文献に記載の従来技術は、テープカートリッジの形式に合わせて誤マウントを機構的に防止することができるものの、バックアップ記憶装置の如く同一形式の記録媒体を所望の収納位置にマウントされたか否かは、前述の如く作業者が目視確認するかシステムを起動して記録媒体にアクセスしなければならないものであった。
【０００８】
この作業者の目視確認による作業は、人為的ミスにより信頼性に乏しいという課題が有り、記録媒体にアクセスして確認する方法は、作業者に記録媒体に対するアクセス権限を与えなければならずセキュリテイ的に不十分となる課題を招くものであった。
【０００９】
本発明の目的は、前述の従来技術による課題を解決しようとするものであり、信頼性確保すると共に記録媒体にアクセスせずに記録媒体の誤マウントを防止することができる誤マウント防止システム及び誤マウント防止方法を提供することである。
【課題を解決するための手段】
【００１０】
前記目的を達成するため本発明は、バックアップ記憶装置の装置種を示す装置情報と該バックアップ記憶装置に装填する記録媒体を一意に表す記録媒体情報と該記録媒体毎の記録媒体の世代情報とを格納し、バックアップ記憶装置毎の記録媒体毎の交換作業情報を作成するサーバに接続され、記録媒体の誤マウントを防止するタブレット端末を含む誤マウント防止システムであって、
該タブレット端末が、
前記サーバから交換作業対象の装置情報と記録媒体情報と該記録媒体毎の記録媒体の世代情報とを含む交換作業情報を取得する当日作業データ取得部と、
記録媒体を一意に判定する媒体判定部と、
前記バックアップ記憶装置の装置種を判定する装置識別機能判定部と、
前記バックアップ記憶装置に装填されている状態を判定する媒体マウント状況判定部と、
該媒体マウント状況判定部により判定した媒体マウント状況をエビデンスとして登録するエビデンス登録部とを備え、
前記当日作業データ取得部を用いてサーバから交換作業対象の装置情報と記録媒体情報と該記録媒体毎の記録媒体の世代情報とを含む交換作業情報を取得する当日作業データ取得機能と、
前記装置識別機能判定部を用いて記録媒体を交換するバックアップ記憶装置を判定する対象機器・ライブラリ判定機能と、
前記媒体判定部を用いて交換対象の記録媒体を判定させる交換対象媒体状況判定機能と、
作業者が前記取得した交換作業情報により指定されたバックアップ記憶装置の記憶媒体の交換を行った後の記憶媒体装填状況を判定するマウント状況判定機能と、
該マウント状況判定機能により判定した記憶媒体装填状況をエビデンスとして登録するエビデンス登録機能を実行することを第１の特徴とする。
【００１１】
また、本発明は、第１の特徴の誤マウント防止システムにおいて、前記サーバが、バックアップ記憶装置に記録媒体を装填した状態のイメージ写真を登録する機能であるライブラリイメージ登録部を備え、前記媒体マウント状況判定部が、ライブラリイメージ登録機能とタブレット端末により撮影した作業者による記録媒体の交換を行った後のイメージ写真とを比較することによって、バックアップ記憶装置に装填されている状態を判定することを第２の特徴とし、前記何れかの特徴の誤マウント防止システムにおいて、前記バックアップ記憶装置及び記憶媒体を一意に識別するマトリックス型二次元コードがバックアップ記憶装置及び記憶媒体に付与され、前記媒体判定部が、記録媒体に付与されているマトリックス型二次元コードを読み取った媒体情報に基づいて記録媒体種を判定し、装置識別機能判定部が、バックアップ記憶装置に付与されているマトリックス型二次元コードを読み取った装置情報に基づいて装置種を判定することを第３の特徴とする。
【００１２】
さらに、本発明は、バックアップ記憶装置の装置種を示す装置情報と該バックアップ記憶装置に装填する記録媒体を一意に表す記録媒体情報と該記録媒体毎の記録媒体の世代情報とを格納し、バックアップ記憶装置毎の記録媒体毎の交換作業情報を作成するサーバに接続され、記録媒体の誤マウントを防止するタブレット端末を含むコンピュータシステムの誤マウントを防止方法であって、
該タブレット端末に、
前記サーバから交換作業対象の装置情報と記録媒体情報と該記録媒体毎の記録媒体の世代情報とを含む交換作業情報を取得する当日作業データ取得部と、
記録媒体を一意に判定する媒体判定部と、
前記バックアップ記憶装置の装置種を判定する装置識別機能判定部と、
前記バックアップ記憶装置に装填されている状態を判定する媒体マウント状況判定部と、
該媒体マウント状況判定部により判定した媒体マウント状況をエビデンスとして登録するエビデンス登録部とを設け、
前記当日作業データ取得部を用いてサーバから交換作業対象の装置情報と記録媒体情報と該記録媒体毎の記録媒体の世代情報とを含む交換作業情報を取得する当日作業データ取得工程と、
前記装置識別機能判定部を用いて記録媒体を交換するバックアップ記憶装置を判定する対象機器・ライブラリ判定工程と、
前記媒体判定部を用いて交換対象の記録媒体を判定させる交換対象媒体状況判定工程と、
作業者が前記取得した交換作業情報により指定されたバックアップ記憶装置の記憶媒体の交換を行った後の記憶媒体装填状況を判定するマウント状況判定工程と、
該マウント状況判定工程により判定した記憶媒体装填状況をエビデンスとして登録するエビデンス登録工程を実行することを第４の特徴とする。
【００１３】
また、本発明は、第４の特徴の誤マウント防止方法において、前記サーバに、バックアップ記憶装置に記録媒体を装填した状態のイメージ写真を登録する機能であるライブラリイメージ登録部を設け、前記媒体マウント状況判定部が、ライブラリイメージ登録機能とタブレット端末により撮影した作業者による記録媒体の交換を行った後のイメージ写真とを比較することによって、バックアップ記憶装置に装填されている状態を判定することを第５の特徴とし、前記何れかの特徴の誤マウント防止方法において、前記バックアップ記憶装置及び記憶媒体を一意に識別するマトリックス型二次元コードがバックアップ記憶装置及び記憶媒体に付与され、前記媒体判定部に、記録媒体に付与されているマトリックス型二次元コードを読み取った媒体情報に基づいて記録媒体種を判定させ、装置識別機能判定部に、バックアップ記憶装置に付与されているマトリックス型二次元コードを読み取った装置情報に基づいて装置種を判定させることを第６の特徴とする。
【発明の効果】
【００１４】
本発明による誤マウント防止システム及び誤マウント防止方法は、タブレット端末が、サーバから交換作業対象の装置情報と記録媒体情報と該記録媒体毎の記録媒体の世代情報とを含む交換作業情報を当日作業データ取得機能により取得し、対象機器・ライブラリ判定機能及び媒体判定部により記録媒体を交換するバックアップ記憶装置を判定し、交換対象媒体状況判定機能により交換対象の記録媒体を判定し、マウント状況判定機能により記憶媒体の交換を行った後の記憶媒体装填状況を判定し、エビデンス登録部により媒体マウント状況をエビデンスとして登録することによって、記録媒体にアクセスせずに記録媒体の誤マウントを防止することができる。
【図面の簡単な説明】
【００１５】
【図１】本発明の実施形態による誤マウント防止システムを実現するコンピュータシステムを示す図。
【図２】本実施形態による誤マウント防止方法の動作を説明するための図。
【図３】本実施形態による顧客情報テーブル及び装置情報テーブルの構成を示す図。
【図４】本実施形態によるライブラリテーブルの構成の一部を示す図。
【図５】本実施形態によるライブラリテーブルの構成の一部とスケジュール及びエビデンス管理テーブルを示す図。
【図６】本施形態によるスケジュールテーブル構成を示す図。
【図７】本実施形態によるエビデンステーブルの構成を示す図。
【発明を実施するための形態】
【００１６】
以下、本発明による誤マウント防止方法を適用した誤マウント防止システムを含むコンピュータシステムの一実施形態を詳細に説明する。
［構成］
本実施形態による誤マウント防止システムを含むコンピュータシステムは、図１に示す如く、記録媒体としてＤＡＴを使用するＤＡＴ装置１４０及び記録媒体としてＬＴＯを使用するＬＯＴ装置１５０をシステムデータのバックアップ用記憶装置として接続するサーバ１９０を備えるＡ社サーバ１００と、該Ａ社サーバ１００のＤＡＴ装置１４０及びＬＯＴ装置１５０のＬＴＯ及びＤＡＴのマウント状態を管理するコンピュータである管理サーバ３００と、作業員により操作されてＬＴＯ及びＤＡＴのマウント状態を管理する写真撮影機能を有するタブレット端末２００とから構成され、本発明の誤マウント防止システムが対象とするシステムは他のＢ社システム又は特定のＣ部署も含み、個々のＬＴＯ及びＤＡＴには各媒体を識別するためのマトリックス型二次元コードであるＱＲコード（登録商標）が付与されているものとする。
【００１７】
本実施形態の記録媒体マウントの管理対象とするＡ社サーバ１００は、図２に示す如く、ＬＴＯ装置及びＤＡＴ装置に装填する記録媒体の管理データを保管する管理データ保管部１０１と、記録媒体の交換等のスケジュールを管理するスケジュール管理部１０２と、記録媒体の交換等の作業情報を作成する作業情報作成部１０３と、該作業情報作成部１０３にて作成した作業情報を送信する作業情報送信部１０４と、記録媒体の交換等を行ったエビデンス情報をタブレット端末２００から受信するエビデンス情報受信部１０５と、該エビデンス情報受信部１０５により受信したエビデンス情報を登録するエビデンス情報登録部１０６を備え、前記各部位を参照し、顧客の部署情報を登録する顧客部署情報登録１１１と、ＬＴＯ装置及びＤＡＴ装置等の装置情報を登録する装置情報登録１１２と、ＬＴＯ装置及びＤＡＴ装置に装填する記録媒体の情報を登録する媒体情報登録１１３と、複数記録媒体の世代管理を行う世代情報登録１１４と、ＬＴＯ装置及びＤＡＴ装置に記録媒体を装填した状態のイメージ（画像）写真を登録するライブラリイメージ登録１１５と、記録媒体交換等のスケジュール及び交換等の結果であるエビデンスデータを登録するスケジュール・エビデンステーブル登録１１６の各動作を実行する情報登録作業機能１１０をソフトウェアによって実行するように構成されている。即ち、本実施形態によるＡ社サーバ１００は、接続したバックアップ記憶装置の装置種を示す装置情報と該バックアップ記憶装置に装填する記録媒体を一意に表す記録媒体情報と該記録媒体毎の記録媒体の世代情報とを格納し、バックアップ装置毎の記録媒体毎の交換作業情報を作成し、送信するように構成されている。
【００１８】
本実施形態によるタブレット端末２００は、媒体交換作業を行ったバックアップ装置の作業後の作業後イメージ写真を撮影する機能を有すると共に、図２に示す如く、システム時刻に基づいて当日の記録媒体交換等の作業情報をＡ社サーバ１００から取得する当日作業データ取得部２１１と、ＬＴＯ装置及びＤＡＴ装置に装填する記録媒体のＱＲコード（登録商標）を読み取るＱＲコード（登録商標）読取部２１２と、ＱＲコード（登録商標）読取部２１２が読み取ったＱＲコード（登録商標）に基づいて媒体を識別判定する媒体判定部２１３と、記録媒体を装填するバックアップ記憶装置（ＬＴＯ装置、ＤＡＴ装置）を判定する装置識別機能判定部２１４と、記録媒体を指定されたバックアップ記憶装置の指定位置に搭載したか否かを写真画像の比較（指示イメージ写真と撮影した作業後イメージ写真図とを比較）により判定する媒体マウント状況判定部２１６と、該媒体マウント状況判定部２１６により判定した媒体マウント状況をＡ社サーバ１００に送信するエビデンス登録部２１７とを備え、前記各部位を参照し、当日の作業情報を取得する当日作業データ取得２２１と、該当日作業データ取得２２１により取得した作業情報に含まれる当日に使用する記録媒体を収集する当日使用媒体収集２２２と、該当日作業データ取得２２１により取得した作業情報に含まれる記録媒体交換を行うバックアップ装置を判定する対象機器・ライブラリ判定２２３と、該当日作業データ取得２２１により取得した作業情報に含まれる交換対象の記録媒体の状況（マウント有無他）を判定する交換対象媒体状況判定２２４と、作業者が装填されている指定位置の記録媒体を取り外すアンマウントを実施したことを登録する交換対象媒体アンマウント２２５と、作業者が指定された位置に記録媒体の装填（マウント）を実施したことを登録する交換対象媒体マウント２２６と、指定された記録媒体の交換が完了したか否かの状況を判定するマウント状況判定２２７と、該マウント状況判定２２７により記録媒体交換がされたことを表す媒体マウント状況を登録するエビデンス登録２２８との各動作を実行するオペレーション作業機能２２０をソフトウェアによって実行するように構成されている。
【００１９】
前記管理サーバ３００は、図示しないコンピュータの他に、図２に示す如く、顧客情報と顧客システムの装置情報と顧客システムのバックアップ用記憶装置（ＤＡＴ装置１４０及びＬＯＴ装置１５０）にマウントされる記録媒体を管理する媒体情報と記録媒体のマウントスケジュール情報及びエビデンス予定（作業結果）情報を格納する管理情報部３２０と、顧客システム毎の媒体使用開始日時〜終了日時等の顧客別媒体管理情報を格納するスケジュール情報部３３０と、マウント作業による各社システム毎のエビデンス（作業結果）情報を格納するエビデンス情報部３４０を備える。
【００２０】
前記管理情報部３２０は、顧客情報テーブル３２１と装置情報テーブル３２２とライブラリテーブル３３３とスケジュール及びエビデンス管理テーブル３３４とを備え、該顧客情報テーブル３２１は、図３に示す如く、顧客ＩＤと該顧客ＩＤ毎の顧客名とを格納した顧客情報テーブル３２１と、媒体装置ＩＤと媒体装置識別名と装置区分と対象媒体と顧客名ＩＤとＱＲコード（登録商標）の各項目情報を格納し、前記装置情報テーブル３２２は、図３に示す如く、一意の媒体装置ＩＤと媒体装置識別名と装置区分と対象媒体と顧客名ＩＤとＱＲコード（登録商標）との各項目情報を格納し、前記ライブラリテーブル３３３は、図４（ａ）に示す一意のＩＤ・一意の媒体装置ＩＤ・媒体名称を格納する単体装置装填媒体情報テーブル及び図４（ｂ）に示す一意のＩＤ・媒体装置ＩＤ・該媒体のバックアップ世代・媒体名称・ＱＲコード（登録商標）の各項目情報を格納するライブラリ装置テーブルと図５（ｃ）に示す一意のＩＤ・媒体装置ＩＤ・バックアップ世代・媒体を装填するイメージ写真（画像）の各項目情報とを格納するライブラリとを含み、前記スケジュール及びエビデンス管理テーブル３３４は、図５（ｄ）に示す如く、一意のＩＤと顧客名ＩＤとスケジュールとエビデンステーブル名の各項目情報を格納している。
【００２１】
Ａ社スケジュールテーブル３３１は、顧客システム毎の記録媒体の使用スケジュール情報を格納するものであって、図６に示す如く、一意のＩＤと媒体装置ＩＤと媒体の使用開始日時と終了日時と使用時のバックアップ世代との各項目情報を格納し、Ｂ社スケジュールテーブル３３２も同様であり、例えばＡ社エビデンステーブル３４１は、顧客システム毎の媒体交換作業を行ったときのエビデンス情報を写真と共に格納するものであって、図７に示す如く、一意のＩＤと媒体交換の作業日時と媒体装置ＩＤと当該媒体にバックアップするデータの世代と作業後にタブレットの撮影機能を用いて撮影した媒体装着状態の装填イメージ写真と媒体名と作業結果の各項目情報とを格納し、Ｂ社エビデンステーブル３４２も同様である。
【００２２】
また、本実施形態では、記録媒体や取り扱う対象の機器等にＱＲコード（登録商標）やバーコードを貼り付けられており、ＬＴＯ装置１５０及びＤＡＴ装置１４０に記録媒体をマウントした状態は作業者がタブレット端末２００の写真撮影機能を用いて撮影することにより、媒体マウント作業終了時にマウントの状態を管理者が判断できるようにしており、媒体には写真により識別可能な一意の文字情報等が記載されている。
【００２３】
本実施形態による管理サーバ３００は、顧客毎のバックアップに使用する記録媒体やバックアップ装置を管理する機能と、タブレット端末２００が撮影した写真を保存する機能と、顧客システム毎に当日使用する記録媒体やチェックリスト等を作成する機能と、タブレット端末２００に媒体交換作業を行う際に必要な作業情報を送信し、オペレーション作業実施後は、タブレット端末２００から作業実績を受信して作業エビデンスを保管する機能を有する。なお、作業情報とは、記録媒体の交換作業を行う対象の顧客名・システム名・バックアップ装置名・交換作業を行う記録媒体名及びＩＤ・交換作業時を行う際の媒体を装填した後の指示イメージ写真等を含むものとする。
【００２４】
尚、本実施形態においては、管理サーバ３００とタブレット端末２００を用いて記録媒体の誤マウントを防止する例を説明するが、本発明はこれに限られるものではなく管理サーバ３００の各情報部のデータをタブレット端末２００に記憶させ、タブレット端末２００のみを用いて誤マウントを防止するように構成しても良い。
【００２５】
［動作］
さて、本実施形態による誤マウント防止システムを含むコンピュータシステムは、図２に示したＡ社サーバ１００が、管理データ保管部１０１により、ＬＴＯ装置及びＤＡＴ装置に装填する記録媒体の媒体状態（残記憶容量、世代）等の管理データを保管する工程と、スケジュール管理部１０２が管理する記録媒体の交換等のスケジュールに基づいて作業情報作成部１０３により、ＬＴＯ装置及びＤＡＴ装置に記録媒体を装填した状態のイメージ（画像）写真を含む記録媒体の交換等の作業情報を作成する工程と、作業情報送信部１０４により、作業情報作成部１０３にて作成した作業情報を送信する工程を実行することによって、媒体交換作業の作業情報を管理サーバ３００（又はタブレット端末２００）に送信し、管理サーバ３００は当該作業情報をタブレット端末２００に送信する。
【００２６】
次いで、作業者が、作業情報を受信したタブレット端末２００に表示された指定バックアップ装置の指定位置に指定された記録媒体の交換作業を記録媒体装填状態のイメージ（画像）写真を参照しながら媒体交換と該媒体交換を行った記録媒体の写真撮影を行う媒体交換作業を行う。
【００２７】
このタブレット端末２００を参照した媒体交換作業は、オペレーション作業機能２２０の各機能を用い、当日作業データ取得２２１により、当日の作業情報を取得する工程と、当日使用媒体収集２２２により、該当日作業データ取得２２１が取得した作業情報に含まれる当日に使用する記録媒体の情報を収集する工程と、対象機器・ライブラリ判定２２３により、該当日作業データ取得２２１により取得した作業情報に含まれる記録媒体交換を行うバックアップ装置を判定する工程と、交換対象媒体状況判定２２４により、該当日作業データ取得２２１により取得した作業情報に含まれる交換対象の記録媒体の状況（マウント有無他）を判定する工程と、作業者が前記各工程により判定した情報に基づいて指定された記録媒体を取り外し、交換対象媒体アンマウント２２５により、作業者が装填されている指定位置の記録媒体を取り外すアンマウントを実施したことを登録する工程と、作業者が指定された記録媒体を装填し、交換対象媒体マウント２２６により、作業者が指定された位置に記録媒体の装填（マウント）を実施したことを登録する工程と、マウント状況判定２２７により、指定された記録媒体の交換が完了したか否かの状況を判定する工程と、エビデンス登録２２８により、該マウント状況判定２２７が判定した媒体交換がされたことを表す媒体マウント状況を登録する工程とを実行することによって、行われる。
【００２８】
このように本実施形態による誤マウント防止システム及び誤マウント防止方法は、接続したバックアップ記憶装置（ＤＡＴ装置１４０、ＬＴＯ装置１５０）の装置種を示す装置情報と該バックアップ記憶装置に装填する記録媒体を一意に表す記録媒体情報と該記録媒体毎の記録媒体の世代情報とを格納し、バックアップ装置毎の記録媒体毎の交換作業情報を作成するＡ社サーバ１００に接続され、記録媒体の誤マウントを防止するタブレット端末２００を含むコンピュータシステムであって、該コンピュータシステムに、
前記Ａ社サーバ１００から交換作業対象の装置情報と記録媒体情報と該記録媒体毎の記録媒体の世代情報とを含む交換作業情報を取得する当日作業データ取得部２１１と、前記バックアップ記憶装置及び記憶媒体を一意に識別するＱＲコード（登録商標）がバックアップ記憶装置及び記憶媒体に付与されているとき、前記記録媒体に付与されているＱＲコード（登録商標）を読み取った媒体情報に基づいて記録媒体を一意に判定する媒体判定部２１３と、前記バックアップ記憶装置に付与されているＱＲコード（登録商標）を読み取った装置情報に基づいて装置種を判定する装置識別機能判定部２１４と、前記バックアップ記憶装置に装填されている状態を判定する媒体マウント状況判定部２１６と、該媒体マウント状況判定部２１６により判定した媒体マウント状況をエビデンスとして登録するエビデンス登録部２１７とを設け、
該コンピュータシステムに、前記当日作業データ取得部２１１を用いてＡ社サーバ１００から交換作業対象の装置情報と記録媒体情報と該記録媒体毎の記録媒体の世代情報とを含む交換作業情報を取得する当日作業データ取得２２１と、前記装置識別機能判定部２１４を用いて記録媒体を交換するバックアップ記憶装置を判定する対象機器・ライブラリ判定２２３と、媒体判定部２１３を用いて交換対象の記録媒体を判定させる交換対象媒体状況判定２２４と、作業者が前記取得した交換作業情報により指定されたバックアップ記憶装置の記憶媒体の交換を行った後の記憶媒体装填状況（アンマウント・マウント）を判定するマウント状況判定２２７と、該マウント状況判定２２７により判定した記憶媒体装填状況をエビデンスとして登録するエビデンス登録２２８との各機能を実行することによって、記録媒体にアクセスせずに記録媒体の誤マウントを防止することができる。
【００２９】
また、本実施形態による誤マウント防止システム及び誤マウント防止方法は、前記Ａ社サーバ１００が、バックアップ記憶装置に記録媒体を装填した状態のイメージ（画像）写真を登録する機能であるライブラリイメージ登録１１５を実行し、前記媒体マウント状況判定部２１６が、ライブラリイメージ登録１１５とタブレット端末２００により撮影した作業者による記録媒体の交換を行った後のイメージ（画像）写真とを比較することによって、バックアップ記憶装置に装填されている状態を判定することができる。
【符号の説明】
【００３０】
１００  Ａ社サーバ、１０１  管理データ保管部、１０２  スケジュール管理部、
１０３  作業情報作成部、１０４  作業情報送信部、
１０５  エビデンス情報受信部、１０６  エビデンス情報登録部、
１１０  情報登録作業機能、１１１  顧客部署情報登録、１１２  装置情報登録、
１１３  媒体情報登録、１１４  世代情報登録、１１５  ライブラリイメージ登録、
１１６  スケジュール・エビデンステーブル登録、１４０  ＤＡＴ装置、
１５０  ＬＴＯ装置、１９０  サーバ、
２００  タブレット端末、２１１  当日作業データ取得部、
２１２  ＱＲコード読取部、２１３  媒体判定部、２１４  装置識別機能判定部、
２１６  媒体マウント状況判定部、２１７  エビデンス登録部、
２２０  オペレーション作業機能、３００  管理サーバ、３２０  管理情報部、
３２１  顧客情報テーブル、３２２  装置情報テーブル、
３３０  スケジュール情報部、３３１  Ａ社スケジュールテーブル、
３３２  Ｂ社スケジュールテーブル、３３３  ライブラリテーブル、
３３４  スケジュール及びエビリンス管理テーブル、３４０  エビデンス情報部、
３４１  Ａ社エビデンステーブル、３４２  Ｂ社エビデンステーブル
【図１】
2015215932.tif 000003
【図２】
2015215932.tif 000004
【図３】
2015215932.tif 000005
【図４】
2015215932.tif 000006
【図５】
2015215932.tif 000007
【図６】
2015215932.tif 000008
【図７】
2015215932.tif 000009